(57)【要約】      （修正有）【課題】両側にカードを排出するための排出機構がそれぞれ配置され、全体の高さを減じるカード用コネクタ装置を提供する。【解決手段】カード用コネクタ装置は、異なる種類のカードを収容するための少なくとも二つの収容空間４３，９１が画成され、絶縁本体１と、前記絶縁本体に装着される複数の導電端子２と、異なる２種のカードを排出するための二つの排出機構と、を含む。前記絶縁本体は基部と、基部の両端部から延在して形成され、カードの挿入をガイドするためのガイド溝が形成される一対の延伸アームと、を含む。前記排出機構はカード用コネクタ装置の左右両側にそれぞれ配置され、その中、少なくとも一方のカードの排出機構は、高さ方向に沿って他方のカードの収容空間の外側壁に配置される。その中の一方のカードの排出機構は、他方のカードの収容空間を利用し、カード用コネクタ装置の全体の高さを減じる。【選択図】図４
0003117356.tif 000002
【実用新案登録請求の範囲】
【請求項１】
異なる種類のカードを収容するための少なくとも二つの収容空間が画成されたカード用コネクタ装置において、
基部と、前記基部の両端部から延在して形成され、カードの挿入をガイドするためのガイド溝が形成される一対の延伸アームと、を含む絶縁本体と、
前記絶縁本体に装着される複数の導電端子と、
異なる種類のカードを排出するための二つの排出機構と、を含み、
前記排出機構は、カード用コネクタ装置の左右両側にそれぞれ配置され、その中、少なくとも一方のカードの排出機構は、高さ方向に沿って他方のカードの収容空間の外側壁に配置されることを特徴とするカード用コネクタ装置。
【請求項２】
前記少なくともの一方のカードの収容空間の高さは、該カードを排出する排出機構の高さより小さく、
前記排出機構の一側面はカード用コネクタ装置の表面と同一平面に位置し、該排出機構の他側面は高さ方向に沿って、他方のカードの収容空間の外側壁に延在して配置されることを特徴とする、請求項１に記載のカード用コネクタ装置。
【請求項３】
前記カード用コネクタ装置は、前記絶縁本体に係合する係止部が形成されるシェルを含み、
前記少なくともの一つの排出機構は、前記シェルによって支持されることを特徴とする、請求項２に記載のカード用コネクタ装置。
【請求項４】
前記排出機構は、連動柄と、排出レバーと、を含み、
少なくとも一つの排出機構は連動柄の先端部に突出部が下向きに折曲延在して形成され、
排出レバーの一端には、前記突出部に係合される錠止部が形成されることを特徴とする、請求項３記載のカード用コネクタ装置。
【請求項５】
前記シェルには、前記カードの挿入をガイドするためのガイド溝が形成されることを特徴とする、請求項３記載のカード用コネクタ装置。
【考案の詳細な説明】
【技術分野】
【０００１】
本考案はカード用コネクタ装置に関し、特に上下に重なるカード用コネクタ装置に関するものである。
【背景技術】
【０００２】
ノートブック型パソコン等の電子機器の増設記録装置としてカード用コネクタ装置が一般的に使用されている。このカード用コネクタ装置の記憶媒体としてはＰＣカードやメモリーカードが広く使用されるようになってきている。
【０００３】
従来のカード用コネクタ装置においては、一枚のカードしか挿着することができず、そのため、例えば、二枚或いは二枚以上のカードの両方を挿着したい場合に、電子機器の回路基板に対応するカード用コネクタをそれぞれ実装しなければならず面倒であり、かつ実装面積を確保しなければならないという問題があった。同時に２つのコネクタを配置する場合は２つ並べて実装するしかなく、そのため実装面積が大きくなり、かつ部品点数が多くなっていた。
【０００４】
その後、上下に重ねて実装するカード用コネクタ装置が考案され、これは、例えば、特許文献１に開示されたようなカード用コネクタ装置であり、第１カードに接続するための第１コネクタと、第２カードを接続するための第２コネクタと、を含み、かつ前記両コネクタは、上下に重なっている。カード用コネクタ装置の一側には、第１カードと第２カードをそれぞれ排出するための第１排出機構と第２排出機構と、が上下に重なる状態に配置される。
【特許文献１】台湾実用新案公告第３６９１９８号明細書
【考案の開示】
【考案が解決しようとする課題】
【０００５】
しかしながら、前記特許文献１に開示されたカード用コネクタ装置は、その排出機構が上下に重なる状態に配置されることで、排出機構の高さがカードを収容するための収容空間より高い。こうして、カード用コネクタ装置の全体の高さが増加することは避けられず、カード用コネクタ装置の軽く、薄い等の発展傾向に不利になった。
【０００６】
そこで、従来の技術の欠点を改善したカード用コネクタ装置を開発する必要がある。
【０００７】
本考案は、両側にカードを排出するための排出機構がそれぞれ配置され、全体の高さを減じるカード用コネクタ装置を提供することを目的とする。
【課題を解決するための手段】
【０００８】
本考案のカード用コネクタ装置は、異なる種類のカードを収容するための少なくとも二つの収容空間が画成され、絶縁本体と、前記絶縁本体に装着される複数の導電端子と、異なる２種のカードを排出するための二つの排出機構と、を含む。前記絶縁本体は基部と、前記基部の両端部から延在して形成され、カードの挿入をガイドするためのガイド溝が形成される一対の延伸アームと、を含む。前記排出機構は、カード用コネクタ装置の左右両側にそれぞれ配置され、その中、少なくとも一方のカードの排出機構は、高さ方向に沿って他方のカードの収容空間の外側壁に配置される。
【考案の効果】
【０００９】
従来技術に比べ、本考案は以下の利点を有する。カード用コネクタ装置は、左右側に異なる種類のカードを排出するための機構機構がそれぞれ配置され、その中の一方のカードの排出機構は、他方のカードの収容空間を利用し、カード用コネクタ装置の全体の高さを減じる目的を達成する。
【考案を実施するための最良の形態】
【００１０】
図１〜図４に示すように、本考案の実施状態において、カード用コネクタ装置は、上下に重なり、エクスプレス（Express）カードと、スマート（Smart）カードと、を同時に収容できる。このカード用コネクタ装置は、絶縁本体１と、前記絶縁本体１内に装着される導電端子２、２′と、前記絶縁本体１に保持されるフレーム９と、カードを排出するように配置される排出機構３、３′と、シェル４、４′と、位置決め板８と、中継接続部材５と、中継接続コネクタ６と、保持部材７１、７２と、を含む。
【００１１】
図１〜図３を参照すると、前記絶縁本体１は、複数の端子溝（参照記号なし）が貫通形成される基部（参照記号なし）と、該基部の長手方向の両端部からそれぞれ直角に延在する一対の延伸アーム（参照記号なし）と、梯形形状を呈するガイド部１１と、を含む。前記延伸アームには、カードの挿入をガイドするようにガイド溝（参照符号なし）がそれぞれ形成されるとともに、先端部に第１凹み部１０がそれぞれ形成される。前記導電端子２、２′は、前記絶縁本体１の複数の端子溝内にそれぞれ装着される。エクスプレスカード（図示せず）は、梯形形状を呈するガイド部１１と前記ガイド溝によりカード用コネクタ装置に挿入され、前記導電端子２′に接続される。スマートカード（図示せず）は、前記ガイド溝によりカード用コネクタ装置に挿入され、前記導電端子２に接続される。
【００１２】
前記フレーム９は、実質的にコ字形状を呈し、前記絶縁本体１に固持され、その先端部（参照記号なし）に一対の凸出部９０が形成され、該凸出部９０には、前記絶縁本体１の第１凹み部１０に対応する第２凹み部９２がそれぞれ形成される。前記絶縁本体１とフレーム９との間に、実質的に矩形形状を呈し、金属からなる仕切板４が配置され、該仕切板４の両側の折曲部（参照記号なし）が前記フレーム９の両側に張り合せられる。
【００１３】
前記第１排出機構３は、推進柄３０と、ベース部材３２と、連動柄３３と、揺動レバー３４と、排出レバー３５と、圧縮コイルバネ（図示せず）と、を含み、前記推進柄３０の末端には押圧を便利にするボタン３１が形成され、前記ベース部材３２には、前記連動柄３３をガイドする運動に用いられる心臓形状を呈するレール（図示せず）が設けられ、前記圧縮コイルバネは、一端が前記ベース部材３２に固持され、他端が推進柄３０に保持される。前記連動柄３３は金属片からなり、その先端部に開口３３２を形成した突出部３３１が形成される。
【００１４】
前記揺動レバー３４は、実質的に中間に、軸孔とする支点部３４２と、駆動部３４０と、枢支部３４３と、を有し、前記枢支部３４３の端部にはガイド部３４１が形成され、前記駆動部３４０が前記連動柄３３の開口３３２に係止することにより、該揺動レバー３４が前記連動柄３３に従って運動可能になる。前記排出レバー３５は、前記絶縁本体１に配置され、その錠止片３５１が前記揺動レバー３４の枢支部３４３に係止することにより、該排出レバー３５が前記揺動レバー３４に連接する。本実施形態では、排出機構３は、エクスプレスカードを排出するのに用いられる。
【００１５】
図１を参照し続いて、排出機構３′は、押圧に用いられるボタン３１′を有する推進柄３０′と、ベース部材３２′と、連動柄３３′と、排出レバー３４′と、を含み、前記連動柄３３′の先端部には、突出部３３１′が下向きに延伸される．前記排出レバー３４′は、一端に前記連動柄３３′の突出部３３１′に係合する錠止部３４０′が形成され、他端にカードを排出するのに用いられる排出部３４１′が形成される。該排出機構３′では、前記突出部３３１′と排出レバー３４′との運動によって、カードが排出される。排出機構３′は、スマートカードを排出するのに用いられる。
【００１６】
前記シェル４は、カードの寸法に実質的に同じであり、頂壁４０から下向きに両側壁４１、４２が延在して形成され、かつ頂壁４０には、揺動レバー３４の支点部３４２に可動係合する貫通孔４０１と、案内溝４０３と、前記貫通孔４０１と案内溝４０３との間に位置する通溝４０２と、が形成される。前記排出機構３は、揺動レバー４３が前記案内溝４０３内に摺動することにより、前記揺動レバー４３と排出レバー３５を運動させる。前記排出レバー３５の錠止片３５１は、前記通溝４０２内で自由に運動できる。また、頂壁４０には、前記揺動レバー３４に当接可能な当接部４０５が形成される。
【００１７】
前記一側壁４１の先端部には、前記連動柄３３を支持する支持部４１０と、前記連動柄３３の突出部３３１をガイドする位置決め部４１１と、が形成され、他側壁４２の先端部には、前記絶縁本体１の延伸アームに係合する係止部４２０が形成される。また、前記シェル４の頂壁４０の、側壁４１、４２に近接する先端部には、前記絶縁本体１とフレーム９の凹み部１０、９２に対応する固持部４０４がそれぞれ設けられ、前記シェル４はネジ（図示せず）によって、前記絶縁本体１とフレーム９とに接続される。前記排出機構のベース部材３２、３２′に形成される係合部３２１、３２１′が前記両側壁４１、４２に係合される。
【００１８】
前記シェル４′は、前記シェル４の構造が実質的に同じで、前記フレーム９に取り付けられるとともに、前記排出機構３′を支持する。前記シェル４′と、前記フレーム９と、仕切板４４と、は、前記エクスプレスカードを収容する収容空間４３を画成する。前記シェル４と、仕切板４４と、は、前記スマートカードを収容する収容空間９１を画成する。
【００１９】
前記導電端子２、２′のテール部（参照記号なし）は、前記位置決め板８に保持されることによって、導電端子２、２′の揺さ振りを防止できる。前記位置決め板８の長手方向の両端には、取付部８０が形成される。前記中継接続部材５には、前記取付部８０を収容する収容孔５０が形成され、前記取付部８０と前記収容孔５０と、に係合することにより、前記位置決め板８が前記中継接続部材５に取り付けられる。前記中継接続部材５が中継接続コネクタ６に接続されることにより、前記導電端子２、２′が前記中継接続コネクタ６に接続される。前記中継接続コネクタ６に装着されるコンタクト（図示せず）が回路基板（図示せず）に半田付けされる。
【００２０】
図４を参照すると、前記保持部材７１、７２は、カード用コネクタ装置の先端部の両側に取り付けられ、回路基板に半田付けされることにより、本考案のカード用コネクタ装置が前記回路基板に実装される。前記ネジは、保持部材の孔（図示せず）と、シェル４の固持部４０４と、絶縁本体１の第１凹み部１０と、フレーム９の第２凹み部９２と、シェル４′の固持部とを順に通過することで、前記保持部材と、シェル４と、絶縁本体１と、フレーム９と、シェル４′とが接続される。
【００２１】
図２と図４を参照すると、前記排出機構３、３′は、カード収容空間４３、９１の両側にそれぞれ配置され、取り付けた際に、排出機構３、３′のベース部材３２、３２′の上表面は前記シェル４の頂壁４０と同一平面にそれぞれ位置し、かつ、前記排出機構３、３′の高さが前記収容空間４３、９１の高さより高いため、カード用コネクタ装置の高さが増加する虞を防止するために、前記排出機構３、３′は、前記収容空間４３、９１の高さ方向（即ち直角（垂直）方向）に沿って、収容空間４３、９１の外側壁にそれぞれ配置される。これにより、収容空間４３、９１の高さを利用し、カード用コネクタ装置の高さを減じる目的を達成することができる。
【００２２】
以上本考案について好ましい実施の形態を参照して詳細に説明したが、実施形態はあくまでも例示的なものであり、これらに限定されるものではない。また、本考案に基づきなし得る細部の修正或は変更など、いずれも本考案の請求範囲に属するものである。
【図面の簡単な説明】
【００２３】
【図１】本考案に係るカード用コネクタ装置の分解斜視図である。
【図２】本考案に係るカード用コネクタ装置の一部分の分解斜視図である。
【図３】図２に示すカード用コネクタ装置の他の角度から見た分解斜視図である。
【図４】本考案に係るカード用コネクタ装置の組立斜視図である。
【符号の説明】
【００２４】
１  絶縁本体
２、２′  導電端子
３、３′  排出機構
４、４′  シェル
５  中継接続部材
６  中継接続コネクタ
８  位置決め板
９  フレーム
１０  第１凹み部
１１  ガイド部
３０、３０′  推進柄
３１、３１′  ボタン
３２、３２′  ベース部材
３３、３３′  連動柄
３４  揺動レバー
４０  頂壁
４１、４２  側壁
４３、９１  収容空間
４４  仕切板
５０  収容孔
７１、７２  保持部材
８０  取付部
９０  凸出部
９２  第２凹み部
３４′、３５  排出レバー
３２１、３２１′  係合部
３３１、３３１′  突出部
３３２  開口
３４０  駆動部
３４０′錠止部
３４１  ガイド部
３４１′排出部
３４２  支点部
３４３  枢支部
３５１  錠止片
４０１  貫通孔
４０２  通溝
４０３  案内溝
４０４  固持部
４０５  当接部
４１０  支持部
４１１  位置決め部
【図１】
0003117356.tif 000003
【図２】
0003117356.tif 000004
【図３】
0003117356.tif 000005
【図４】
0003117356.tif 000006